(57)【要約】【課題】２個の蒸気吸込口から均一な排気ができて確実な排気ができ、電気器具の種類により電気器具の収納場所に制約を受けずかつ、薄形化を図った蒸気排出ユニットを提供する。【解決手段】本蒸気排出ユニットは、ユニット本体に設けた蒸気吸込口と蒸気排気口間に配されるダクト及び吸排気用の送風機を備え、この送風機は、ユニット本体の前面の中央部近傍に配され、送風機のケーシングに設けたケーシング吸込口は、ダクトに設けられ蒸気吸込口に連通する２個のダクト吸込口と略等距離に配される。【選択図】  図６
2008161432.tif 000002
【特許請求の範囲】
【請求項１】
電気器具が収納される収納棚に組み込まれて使用され、ユニット本体に設けた蒸気吸込口と蒸気排気口間に配されるダクト及び吸排気用の送風機を備え、前記電気器具から発生する蒸気を前記蒸気吸込口から吸い込み、前記ダクト、前記送風機を介して前記蒸気排気口から排出する蒸気排出ユニットにおいて、前記送風機は、前記ユニット本体の前面の中央部近傍に配され、前記送風機のケーシングに設けたケーシング吸込口は、前記ダクトに設けられ前記蒸気吸込口に連通する２個のダクト吸込口と略等距離に配されることを特徴とする蒸気排出ユニット。
【請求項２】
前記送風機は、ケーシングとこのケーシングに内装され遠心ファンを回転させるモータを備えかつ、前記ユニット本体の前面の中央部近傍に水平状態に配されることを特徴とする請求項１に記載の蒸気排出ユニット。
【請求項３】
前記送風機のケーシングの底板は、全面に渡って平板状でありかつ、蒸気排気口の下端と略同一高さに位置することを特徴とする請求項２に記載の蒸気排出ユニット。
【請求項４】
前記蒸気吸込口は、前記収納棚の収納部と前記ダクト吸込口間に介在する平板状の蒸気分散板の周囲及び中央部に設けられることを特徴とする請求項１ないし３のいずれか１項に記載の蒸気排出ユニット。
【発明の詳細な説明】
【技術分野】
【０００１】
本発明は蒸気排出ユニットに係り、特に、その構造を改良した蒸気排出ユニットに関する。
【背景技術】
【０００２】
従来、収納棚に収納された炊飯器、電気ポットあるいはコーヒーメーカーなどの電気器具の加熱時に発生する蒸気を外部に排出するために、収納棚に蒸気排出ユニットを組み込んでいる。
【０００３】
このような従来の蒸気排出ユニットにおいて、電気炊飯器や電気ポットなどヒータを熱源とする電気器具が多く収納される。
【０００４】
従来の蒸気排出ユニットは、吸排気用の送風機がユニット本体の幅方向の中心から偏倚し、ユニット本体の前面から奥行方向に入ったユニット本体の内部位置に設けられている（特許文献１）。
【０００５】
このため、特許文献１に記載の蒸気排出ユニットは、ユニット本体に２個設けた蒸気吸込口から、この各々蒸気吸込口と送風機のケーシング吸込口までの距離が異なり、また、これらの吸込口を連通するダクト形状が複雑になり、２個の蒸気吸込口を介して均一な吸気ができない場合があり、さらに、送風機がユニット本体の内部に位置するため、ユニット本体の片側半分が収納棚の収納部間で膨出するので、この位置に収納される電気器具は高さに制約を受け、改良の余地があった。
【特許文献１】特開２００２−８１７１０号公報
【発明の開示】
【発明が解決しようとする課題】
【０００６】
本発明は上述した事情を考慮してなされたもので、本発明に係る蒸気排出ユニットによれば、２個の蒸気吸込口から均一な吸気ができて確実な排気ができ、電気器具の種類により電気器具の収納場所に制約を受けずかつ、薄形化を図った蒸気排出ユニットを提供することを目的とする。
【課題を解決するための手段】
【０００７】
上述した目的を達成するため、本発明に係る蒸気排出ユニットは、電気器具が収納される収納棚に組み込まれて使用され、ユニット本体に設けた蒸気吸込口と蒸気排気口間に配されるダクト及び吸排気用の送風機を備え、前記電気器具から発生する蒸気を前記蒸気吸込口から吸い込み、前記ダクト、前記送風機を介して前記蒸気排気口から排出する蒸気排出ユニットにおいて、前記送風機は、前記ユニット本体の前面の中央部近傍に配され、前記送風機のケーシングに設けたケーシング吸込口は、前記ダクトに設けられ前記蒸気吸込口に連通する２個のダクト吸込口と略等距離に配されることを特徴とする。
【発明の効果】
【０００８】
本発明に係る蒸気排出ユニットによれば、２個の蒸気吸込口から均一な吸気ができて確実な排気ができ、電気器具の種類により電気器具の収納場所に制約を受けずかつ、薄形化を図った蒸気排出ユニットを提供することができる。
【発明を実施するための最良の形態】
【０００９】
本発明の一実施形態に係る蒸気排出ユニットについて添付図面を参照して説明する。
【００１０】
図１は本発明の一実施形態に係る蒸気排出ユニットを組み込んだ収納棚の正面図、図２は本蒸気排出ユニットの斜視図、図３は本蒸気排出ユニットの下面図、図４は本蒸気排出ユニットの幅方向の縦断面図、図５は本蒸気排出ユニットの奥行幅方向の縦断面図である。
【００１１】
図１に示すように、本発明の一実施形態に係る蒸気排出ユニット１は、炊飯器、電気保温ポットあるいはコーヒーメーカーなどの電気器具が収納される収納棚３１の収納部３２の上部に取り付けられて使用される。
【００１２】
図２に示すように、蒸気排出ユニット１は扁平直方体状のユニット本体２を備え、ユニット本体２の外周側面には蒸気排気口３が設けられる。
【００１３】
図３乃至図５に示すように、ユニット本体２の底面には、このユニット本体２の一部をなす凹部形成板４によって形成され、底面が平らで扁平略矩形状の凹部５が設けられ、この凹部５の略全体を覆うように平板状の蒸気分散板６が取り付けられる。
【００１４】
凹部５は可能な限り浅くして、ユニット本体２を薄くし、さらに、蒸気分散板６は、凹部５の下端部５ａと段差ができるように凹部５に押し込んで、空間部を形成し、蒸気分散板６の下方には大きな収納部３２のスペースを形成する。
【００１５】
また、凹部５には、蒸気分散板６により図中ドットを付して示す蒸気吸込口７が形成され、この蒸気吸込口７は、蒸気分散板６に設けた円弧部を含む略Ｔ字状の第１の吸込口７ａと、蒸気分散板６の周縁部と凹部５の側面とで画成されるコ字状の第２の吸込口７ｂからなる。これにより、均一かつ速やかな吸い込みが可能となる。
【００１６】
第２の吸込口７ｂの奥行方向の位置（寸法）は、ユニット本体２の底部の奥行の長さ（寸法）の７０％以上であるのが好ましい。
【００１７】
図４〜図６（図２の天板除去図）及び図７（図６のダクト除去図）に示すように、送風機８はユニット本体２の前面の略中央部近傍に、ユニット本体２の前面から奥行方向及び下方に延びるように水平状態に配され、遠心式ファン９を備え、扁平なケーシング１０には遠心式ファン９を回転させるモータ１１が内装される。扁平なケーシング１０にモータ１１を内装することで送風機８が薄くなり、蒸気排出ユニット１の厚みが薄くなる。
【００１８】
また、送風機８をユニット本体２の前面の略中央部近傍に水平状態に配することで、ケーシング１０は円弧状部１０ａが収納部３２を形成する凹部５に突出するにとどまり、凹部５の中央域に突出することがなく、さらに、ケーシング１０を凹部５すなわちユニット本体２から下方に突出することがなく、収納部３２を十分に確保でき、さらに、美観も向上する。
【００１９】
また、ケーシング１０のケーシング吸込口１０ｃは、送風機８の上方に位置するダクト１２に設けたダクト吸込口１２ａに連通する。
【００２０】
ダクト１２は扁平で略２等辺三角形状をなし、この２等辺三角形の底角近傍に、上記２個のダクト吸込口１２ａを設け、頂角近傍にダクト吹出口１２ｂを設けている。２個のダクト吸込口１２ａは、凹部形成板４に設けた２個の通気孔４ａに各々一致し、ダクト吸込口１２ａ及び通気孔４ａは、各々蒸気分散板６と凹部形成板４間に形成される扁平な狭い通気路１３に対向して開口する。
【００２１】
一方、ダクト吹出口１２ｂは凹部形成板４の２個の通気孔４ａの幅方向の距離の中間に位置、すなわち送風機８は、２個のダクト吸込口１２ａの幅方向の距離の中間に位置する。
【００２２】
このダクト１２が蒸気吸込口７及び通気孔４ａを介して吸い込んだ蒸気を、ダクト吹出口１２ａ、ケーシング吸込口１０ｃを介してケーシング１０に吸い込み、蒸気排気口３からユニット本体２外に排出する。
【００２３】
また、送風機８を２個のダクト吸込口１２ａの幅方向の距離の中間に位置させることにより、収納部３２で発生する蒸気を偏りなく、速やかに排出でき、さらに、吸気に偏りがないので、静音化を図ることができる。また、２個のダクト吸込口の大きさあるいはダクトの長さ、開口面積を調整して両ダクト吸込口からの吸気量の調整を図る必要がなく、設計も容易になる。
【００２４】
一方、ケーシング１０のケーシング吹出口１０ｄまで達するケーシング１０の一側下部をなす底板１０ｂは、全面に渡って平板状をなし、途中に何らの段差がなく、ケーシング吹出口１０ｄ及び蒸気排気口３の下端と略同一高さに位置する。
【００２５】
従って、扁平なダクト１２を水平に配し、このダクト１２に扁平なケーシング１０を重ねて水平に配することで、薄形の蒸気排出ユニット１が実現するとともに、排気が段差に衝突して発する騒音もなく、静音化を図ることができる。
【００２６】
ケーシング１０の形状及び送風機８の配置は、送風機８から吹き出される蒸気の流れと平行でケーシング吹込口１０ｄの開口端部と接する遠心式ファン９の接線Ｌが、蒸気排気口３の開口端部３ａの内側の位置に突き当たるように設定される。
【００２７】
また、ケーシング吹出口１０ｄ近傍の底板１０ｂに僅かに下方に膨出するドレン溜め凹部１０ｅが設けられる。これにより、ケーシング吹出口１０ｄ近傍で凝縮する凝縮水を溜めることができる。
【００２８】
さらに、送風機８に隣接するユニット本体２の一側には、送風機８を制御する制御基板２０が設けられる。
【００２９】
図８は蒸気排出ユニット１に２個の電源が接続され、２個の入力端子、制御基板及び２個の出力端子を含む電源回路を２回線使用する場合を示す。
【００３０】
第１の電流ブレーカＳ１、第２の電流ブレーカＳ２と、ユニット本体２に設けた第１の入力端子１５、第２の入力端子１６は、例えば、収納棚設置時などに配線接続される。この第１の入力端子１５は、屋内分電盤より分電された電源（電流ブレーカ）に常時接続される常時通電入力端子であり、この第１の入力端子１５は常時通電を必要とする制御基板入力端子１７と、第１の出力端子１８に並列に接続され、第１の入力端子１５と第１のコンセントＣ１を接続する配線の一側には第１の電流センサー１９が取り付けられ、この第１の電流センサー１９で検知した電流情報信号は制御基板２０に入力される。
【００３１】
第２の入力端子１６は第２の出力端子２１に接続され、第２の入力端子１６と第２のコンセントＣ２を接続する配線の一側には第２の電流センサー２２が取り付けられ、この第２の電流センサー２２で検知した電流情報信号は制御基板２０に入力される。また、第２の入力端子１６は、第２の出力端子２１に接続され、この第２の入力端子１６と第２の出力端子２１を接続する配線の一側には第２の電流センサー２２が取り付けられ、この第２の電流センサー２２で検知した電流情報信号は制御基板２０に入力される。さらに、第２の出力端子２１には、第２のコンセントＣ２が接続される。
【００３２】
制御基板２０は電気器具への給電状態に応じて送風機８を制御するためのものであり、制御基板２０には送風機出力端子２３が設けられ、この送風機出力端子２３には送風機８が接続される。
【００３３】
従って、第１のコンセントＣ１及び第２のコンセントＣ２に接続される電気器具が通電状態であるときは、第１の電流センサー１９、第２の電流センサー２２がその電流を検知し、制御基板２０を介して、送風機８を駆動して、蒸気の排気を行い、電気器具に通電されていない状態では、制御基板２０を介して、送風機８を停止させる。これにより、省エネルギー運転が可能になる。
【００３４】
図１に示すように、蒸気排出ユニット１は、収納棚３１の収納部３２の上部に組み込まれ、炊飯器、電気保温ポットなどの電気器具を収納棚３１の収納部３２に収納して使用する。このとき、蒸気排出ユニット１は薄形であり、収納部３２は大きなスペースが確保される。
【００３５】
電気器具の電源が入れられ、送風機８に通電され、電気器具から発生した蒸気は、送風機８の作用により、蒸気吸込口７、ダクト１２を介して蒸気排気口３からユニット本体２外に排出される。
【００３６】
この蒸気排気過程において、蒸気吸込口７が蒸気分散板６周囲及び中央部に設けられるので、均一かつ速やかな吸気を行なうことができ、さらに、送風機８を２個のダクト吸込口１２ａの幅方向の距離の中間に位置させることにより、収納部３２で発生する蒸気を偏りなく、速やかかつ静かに排気できる。
【００３７】
また、ケーシング１０の底板１０ｂは途中に何らの段差がないので、段差があり騒音を発する従来構造と異なり、静かに排気できる。
【００３８】
さらに、送風機８から吹き出される蒸気の流れと平行でケーシング吹込口１０ｄの開口端部と接する遠心式ファン９の接線は、蒸気排気口３の開口端部の内側の位置に突き当たるので、蒸気が正面に排気するのを防ぎ、使用者に不快感を与えない。また、蒸気の開口端部の内側への衝突により、蒸気は凝縮して凝縮水となるが、このドレン水はドレン溜め凹部１０ｅに溜められ、飛散することなく衛生的である。
【００３９】
本実施形態の蒸気排出ユニットによれば、２個の蒸気吸込口から均一な排気ができて確実な排気ができ、電気器具の種類により電気器具の収納場所に制約を受けずかつ、薄形化を図った蒸気排出ユニットが実現する。
【図面の簡単な説明】
【００４０】
【図１】本発明に係る蒸気排出ユニット付収納棚の正面図。
【図２】本発明に係る蒸気排出ユニット付収納棚に用いる蒸気排出ユニットの斜視図。
【図３】本発明に係る蒸気排出ユニット付収納棚に用いる蒸気排出ユニットの下面図。
【図４】本発明に係る蒸気排出ユニット付収納棚に用いる蒸気排出ユニットの幅方向の縦断面図。
【図５】本発明に係る蒸気排出ユニット付収納棚に用いる蒸気排出ユニットの奥行幅方向の縦断面図。
【図６】本発明に係る蒸気排出ユニット付収納棚に用いる蒸気排出ユニットの天板を除去して示す上面図。
【図７】本発明に係る蒸気排出ユニット付収納棚に用いる蒸気排出ユニットのダクトを除去して示す上面図。
【図８】本発明に係る蒸気排出ユニット付収納棚に用いる蒸気排出ユニットの電気回路図。
【符号の説明】
【００４１】
１  蒸気排出ユニット
２  ユニット本体
３  蒸気排気口
４  凹部形成板
４ａ  通気孔
５  凹部
５ａ  下端部
６  蒸気分散板
７  蒸気吸込口
８  送風機
９  遠心式ファン
１０  ケーシング
１０ａ  円弧状部
１０ｂ  底板
１０ｃ  ケーシング吸込口
１０ｄ  ケーシング吹出口
１０ｅ  ドレン溜め凹部
１１  モータ
１２  ダクト
１２ａ  ダクト吸込口
１２ｂ  ダクト吹出口
１３  通気路
２０  制御基板
【図１】
2008161432.tif 000003
【図２】
2008161432.tif 000004
【図３】
2008161432.tif 000005
【図４】
2008161432.tif 000006
【図５】
2008161432.tif 000007
【図６】
2008161432.tif 000008
【図７】
2008161432.tif 000009
【図８】
2008161432.tif 000010